(57)【特許請求の範囲】
【請求項１】
カードの表面または裏面の少なくとも一方に印字された印字部をスキャニングするカードのスキャナシステムにおいて、
カードを挿入するカード挿入部と、
カード挿入部の下流側に設けられ、カードの厚みを検知する厚み検知部と、
厚み検知部の下流側に配置され、カードを狭持して搬送する少なくとも一対の搬送ローラを有するカード搬送部と、
カード搬送部により搬送されるカードに対する特定の焦点深度を有し、カードの印字部をスキャニングするスキャナと、
厚み検知部、カード搬送部およびスキャナを駆動制御する制御装置とを備え、
厚み検知部近傍に、カードに貼付されたシールの有無を検知するシール検知部が設けられ、
制御装置は厚み検出部からの信号に基づいて、カードにシールが貼付されていることを判断し、シール検知部からの信号に基づいて、カードにシールが貼付されていることを確認した後一対の搬送ローラ間の隙間、およびカードに対するスキャナの焦点深度を調整することを特徴とするカードのスキャナシステム。
【請求項２】
一方の搬送ローラおよびスキャナが共通の支持機構により支持されており、制御装置は支持機構を駆動して一方の搬送ローラおよびスキャナを移動させ、一対の搬送ローラ間の間隙およびスキャナのカードに対する焦点深度を調整することを特徴とする請求項１記載のカードのスキャナシステム。
【請求項３】
共通の支持機構は一方の搬送ローラおよびスキャナを支持する水平支持バーからなり、制御装置により水平支持バーが上下方向に駆動して一方の搬送ローラおよびスキャナを上下方向に移動させることを特徴とする請求項２記載のカードのスキャナシステム。
【請求項４】
カードの表面および裏面に印字部が設けられ、
カード搬送部を挟んでスキャナに対向して追加スキャナが設けられ、
スキャナはカードの表面に印字された印字部をスキャニングし、追加スキャナはカードの裏面に印字された印字部をスキャニングすることを特徴とする請求項１乃至３のいずれか記載のカードのスキャナシステム。
【発明の詳細な説明】
【技術分野】
【０００１】
本発明は、ＩＣチップを有するＩＣカード等のカードをスキャニングするカードスキャナシステムに係り、とりわけ、カードの表面に印字された印字部をスキャニングするカードスキャナシステムに関する。
【背景技術】
【０００２】
身分証明証などの身分確認時に用いられるカードとして、電子情報が記録されたＩＣチップを有するＩＣカードが知られている。このようなＩＣカードには、例えば、氏名、住所などの文字、数字等が印字されている。
【０００３】
この場合ＩＣカードの表面には、氏名、住所などの文字、数字等が印字され、ＩＣカードの裏面には文字、数字等が印字されるとともに、裏面に維持された文字、数字等を隠すためＩＣカードの裏面に保護シールを貼付したり、あるいはＩＣカードの裏面に追加の備考紙が貼付されている。
【０００４】
このようなＩＣカードは、身分確認をするため提示される。提示されたＩＣカードはその表裏面に印字された文字、数字等がスキャナで読み取られ、ＩＣカードの表裏に印字された文字、数字等の情報がスキャナにより取込まれる。
【０００５】
ところでＩＣカードの裏面には、上述のように保護シールや備考紙が貼付されることがあるが、ＩＣカードの裏面にこのような保護シールや備考紙を貼付した場合、ＩＣカード自体の厚みが増して、ＩＣカードをスキャナで読み取る際、ＩＣカードがカード搬送部で詰って確実にスキャナまで搬送されなかったり、スキャナのＩＣカードに対する焦点深度がずれてＩＣカードに印字された文字、数字等を精度良くスキャニングできないことがある。
【先行技術文献】
【特許文献】
【０００６】
【特許文献１】特開２０００−６２９９４号公報
【特許文献２】特開２０１０−２０２３２６号公報
【発明の概要】
【発明が解決しようとする課題】
【０００７】
本発明はこのような点を考慮してなされたものであり、カードの裏面に保護シールや備考紙等のシールを貼付してカード自体の厚みが増加した場合であっても、カードをスキャナ側まで確実に搬送することができ、かつスキャナによりカードに印字された文字、数字等の印字部を確実にスキャニングすることができるカードのスキャニングシステムを提供する。
【課題を解決するための手段】
【０００８】
本発明は、カードの表面または裏面の少なくとも一方に印字された印字部をスキャニングするカードのスキャナシステムにおいて、カードを挿入するカード挿入部と、カード挿入部の下流側に設けられ、カードの厚みを検知する厚み検知部と、厚み検知部の下流側に配置され、カードを狭持して搬送する少なくとも一対の搬送ローラを有するカード搬送部と、カード搬送部により搬送されるカードに対する特定の焦点深度を有し、カードの印字部をスキャニングするスキャナと、厚み検知部、カード搬送部およびスキャナを駆動制御する制御装置とを備え、厚み検知部近傍に、カードに貼付されたシールの有無を検知するシール検知部が設けられ、制御装置は厚み検出部からの信号に基づいて、カードにシールが貼付されていることを判断し、シール検知部からの信号に基づいて、カードにシールが貼付されていることを確認した後一対の搬送ローラ間の隙間、およびカードに対するスキャナの焦点深度を調整することを特徴とするカードのスキャナシステムである。
【００１０】
本発明は、一方の搬送ローラおよびスキャナが共通の支持機構により支持されており、制御装置は支持機構を駆動して一方の搬送ローラおよびスキャナを移動させ、一対の搬送ローラ間の間隙およびスキャナのカードに対する焦点深度を調整することを特徴とするカードのスキャナシステムである。
【００１１】
本発明は、共通の支持機構は一方の搬送ローラおよびスキャナを支持する水平支持バーからなり、制御装置により水平支持バーが上下方向に駆動して一方の搬送ローラおよびスキャナを上下方向に移動させることを特徴とするカードのスキャナシステムである。
【００１２】
本発明は、カードの表面および裏面に印字部が設けられ、カード搬送部を挟んでスキャナに対向して追加スキャナが設けられ、スキャナはカードの表面に印字された印字部をスキャニングし、追加スキャナはカードの裏面に印字された印字部をスキャニングすることを特徴とするカードのスキャナシステムである。
【発明の効果】
【００１３】
以上のように本発明によれば、カードの裏面に保護シールや備考紙等のシールを貼付してカード自体の厚みが増加した場合であっても、カードをスキャナ側まで確実に搬送することができる。またスキャナにより、カードに印字された印字部を確実かつ精度良くスキャニングすることができる。
【図面の簡単な説明】
【００１４】
【図１】図１は、本発明によるカードのスキャニングシステムを示す概略図。
【図２】図２（ａ）はＩＣカードの表面を示す図であって、図２（ｂ）はＩＣカードの裏面を示す図。
【図３】本発明によるカードのスキャニングシステムの作用を示すフローチャート。
【図４】カードのスキャニングシステムの変形例の作用を示すフローチャート。
【発明を実施するための形態】
【００１５】
以下、図１乃至図３を参照して本発明の実施の形態について説明する。
【００１６】
はじめに図２（ａ）（ｂ）を参照してカード、例えばＩＣカード１１について説明する。
【００１７】
図２（ａ）（ｂ）に示すように、本発明によるカードのスキャニングシステムの対象となるカードは、運転免許証のようなＩＣチップ１１Ａを含むＩＣカードからなり、ＩＣカード１１の表面１１ａには氏名、住所を表示する文字、数字等からなる印字部１２および顔画像１３が設けられている。またＩＣカード１１の裏面１１ｂにも追加情報となる印字部１５が設けられている。
【００１８】
さらにＩＣカード１１の裏面１１ｂには、たとえば臓器提供の意思を表示する文字からなる印字部１６が設けられ、この印字部１６はＩＣカード１１の裏面１１ｂに貼付された保護シール１７により隠されている。なお、保護シール１７の代わりに、ＩＣカード１１の裏面１１ｂに追加の備考紙が貼付されることもある。
【００１９】
このようにＩＣカード１１の裏面１１ｂに保護シール１７あるいは追加の備考紙が貼られると、ＩＣカード１１自体の厚みが増加してしまう。
【００２０】
次に本発明によるカードのスキャナシステムについて図１により説明する。
【００２１】
図１に示すようにカードのスキャナシステム２０はＩＣカード１１が挿入されるとともに、ＩＣカード１１の挿入状態を検知するカード挿入センサ２１ａを有するカード挿入部２１と、カード挿入部２１の下流側に設けられＩＣカード１１の厚みを検知する厚み検知部２３と、厚み検知部２３の下流側に配置されＩＣカードを搬送するカード搬送部２６とを備えている。
【００２２】
このうち厚み検知部２３は、ＩＣカード１１の上下方向に設けられＩＣカード１１の厚みを検知する一対の厚み検知器２３ａ、２３ｂからなっている。
【００２３】
またカード搬送部２６はＩＣカード１１を上下方向から狭持する少なくとも一対の搬送ローラ２６ａ、２６ｂからなり、本実施の形態においては三対の搬送ローラ２６ａ、２６ｂが設けられている。このうちＩＣカード１１の上方の搬送ローラ２６ａが一方の搬送ローラとなり、ＩＣカード１１の下方の搬送ローラ２６ｂが他方の搬送ローラとなる。
【００２４】
さらにカード搬送部２６により搬送されるＩＣカード１１の表面１１ａに設けられた印字部１２をスキャニングするため、ＩＣカード１１の上方にＩＣカード１１に対して特定の焦点深度を有するスキャナ２５ａが配置されている。同様に、ＩＣカード１１の裏面１１ｂに設けられた印字部１５をスキャニングするため、ＩＣカード１１の下方にＩＣカード１１に対して特定の焦点深度を有する追加スキャナ２５ｂが設置されている。なお、ＩＣカード１１の下方の追加スキャナ２５ｂは必ずしも設置する必要はない。
【００２５】
また、カード搬送部２６により搬送され、スキャナ２５ａおよび追加スキャナ２５ｂによりスキャニングされたＩＣカード１１は、カード排出部２２から外方へ排出される。
【００２６】
ところで、図１において、カード搬送部２６のうちＩＣカード１１の上方に位置する３つの搬送ローラ２６ａおよびスキャナ２８は、いずれも共通する支持機構２８により支持されており、この共通する支持機構２８は例えば３つの一方の搬送ローラ２６ａおよびスキャナ２５ａを支持する水平支持バー２８からなり、この水平支持バー２８はその両端に設けられた一対の駆動部２９により上下方向に移動自在に駆動される。
【００２７】
また厚み検知部２３近傍に、ＩＣカード１１に保護シール１７あるいは追加の備考紙が貼付されたか否か、すなわちシールの有無を検知するシール検知部２４が設けられている。そして厚み検知部２３およびシール検知部２４は、制御装置３１に接続され、この制御装置３１は厚み検知部２３からの信号およびシール検知部２４からの信号に基づいて一対の駆動部２９を駆動制御する。この場合、一対の駆動部２９により水平支持バー２８が上下方向に移動して、３つの一方の搬送ローラ２６ａおよびスキャナ２５ａを上下方向に移動させ、一対の搬送ローラ２６ａ、２６ｂ間の間隙およびスキャナ２５ａのＩＣカード１１に対する焦点深度を調整する。
【００２８】
すなわち、カード搬送部２６の一対の搬送ローラ２６ａ、２６ｂ間の間隙はＩＣカード１１の厚みに合わせて設定されており、ＩＣカード１１の厚みが増加した場合、このＩＣカード１１の厚みの増加に合わせて上方の搬送ローラ２６ａを上方へ持ち上げ、一対の搬送ローラ２６ａ、２６ｂ間の間隙を増加させてＩＣカード１１をスムースに搬送するようにする。
【００２９】
またスキャナ２５ａおよび追加スキャナ２５ｂのうち、例えば追加スキャナ２５ｂはＩＣカード１１の裏面１ｂの印字部１５をスキャニングするものであるから、ＩＣカード１１の厚みが増加してもＩＣカード１１に対する追加スキャナ２５ｂの焦点深度は変化しない。
【００３０】
他方、スキャナ２５ａはＩＣカード１１の表面１１ａの印字部１２をスキャニングするものであり、ＩＣカード１１の厚みの増加につれてＩＣカードに対するスキャナ２５ａの焦点深度は変化する。このためＩＣカード１１の厚みの増加に合わせて、スキャナ２５ａを上方へ持ち上げ、ＩＣカード１１に対するスキャナ２５ａの焦点深度を調整するようになっている。
【００３１】
さらに搬送ローラ２６ａ、２６ｂは、図示しない駆動機構を介して駆動モータ２７により回転駆動される。またスキャニング２５ａおよび追加スキャナ２５ｂは、いずれも制御装置３１に接続され、制御装置３１によりスキャニング２５ａおよび追加スキャナ２５ｂが駆動制御される。さらにスキャナ２５ａによりスキャニングされたＩＣカード１１の表面１１ａの印字部１２の情報、および追加スキャナ２５ｂによりスキャニングされたＩＣカード１１の裏面１１ｂの印字部１５の情報は制御装置３１に送られる。また制御装置３１にはプリンタ３２が接続され、ＩＣカード１１の表面１１および裏面１１ｂに各々設けられた印字部１２、１５の情報をプリンタ３２から出力することができる。
【００３２】
次にこのような構成からなる本実施の形態の作用について図３により説明する。
【００３３】
まずＩＣカード１１がカード挿入部２１から挿入され、ＩＣカード１１の挿入状態がカード挿入センサ２１ａにより検知される。次にカード挿入センサ２１ａからの検知信号は制御装置３１に送られる。
【００３４】
次にＩＣカード１１の裏面１１ｂに保護シール１７あるいは追加の備考紙が貼付されているか否かがシール検知部２４により検知され、シール検知部２４からの検知信号が制御装置３１に送られる。
【００３５】
次にＩＣカード１１の厚みが、一対の厚み検知器２３ａ、２３ｂからなる厚み検知部２３により検知され、厚み検知部２３からの検知信号が制御装置３１に送られる。
【００３６】
制御装置３１は、厚み検知部２３からの検知信号に基づいて、厚み検知部２３で検知したＩＣカード１１の厚みが搬送可能な厚みであるか否か判断しＩＣカード１１の厚みが所定値以上の場合、ＩＣカード１１の搬送は困難と判断し、カード搬送部２６を逆転させてカード挿入部２１からＩＣカード１１を戻す（排出する）。
【００３７】
一方、制御装置３１は、ＩＣカード１１の厚みが搬送可能な厚みの場合、以下のような制御を行なう。
【００３８】
すなわち、ＩＣカード１１の厚みはＪＩＳ規格により規定値に定められているため、ＩＣカード１１の厚みがこの規定値を越えている場合、制御装置３１はＩＣカード１１の厚み増加はＩＣカード１１の裏面１１ｂに保護シール１７あるいは追加の備考紙が貼付されていると判断する。同時に制御装置３１は、シール検知部２４からの信号に基づいて、ＩＣカード１１の裏面１１ｂに保護シール１７あるいは追加の備考紙が貼付されていることを確認する。
【００３９】
この場合、制御装置３１は一対の駆動部２９、２９を駆動させて水平支持バー２８上方へわずかに上昇させる。このことにより上方に位置する３つの搬送ローラ２６ａおよびスキャナ２５ａがわずかに上昇し、カード搬送部２６の搬送ローラ２６ａ、２６ｂ間の間隙を拡げてＩＣカード１１をスムースに搬送させることができる。
【００４０】
このときＩＣカード１１の厚みが増加してもＩＣカード１１の裏面１１ｂの位置は変化しないので、ＩＣカード１１の裏面１１ｂに設けられた印字部１５を追加スキャナ２５ｂにより精度良くスキャニングすることができる。
【００４１】
他方、ＩＣカード１１の表面１１ａの位置はＩＣカード１１の厚みの増加によりわずかに上昇するが、スキャナ２５ａを上昇させることにより、ＩＣカード１１に対するスキャナ２５ａの焦点深度を適切な値に設定することができ、これによりスキャナ２５ａによってＩＣカード１１の表面１１ａに設けられた印字部１２を精度良くスキャニングすることができる。
【００４２】
次に制御装置３１はカード搬送部２６の搬送ローラ２６ａ、２６ｂを駆動させてＩＣカード１１を搬送する。
【００４３】
次に制御装置３１はスキャナ２５ａを駆動制御して、このスキャナ２５ａによりＩＣカード１１の表面１１ａに印字された印字部１２をスキャニングして、印字部１２の情報を取り込む。この印字部１２の情報は、スキャナ２５ａから制御部３１へ送られる。同時に制御装置３１は追加スキャナ２５ｂを駆動制御して、この追加スキャナ２５ｂによりＩＣカード１１の裏面１１ｂに印字された印字部１５をスキャニングして、印字部１５の情報を取り込む。この印字部１２の情報は追加スキャナ２５ｂから制御部３１へ送られる。
【００４４】
その後ＩＣカード１１はカード排出部２２から外方へ排出される。また制御装置３１に取り込まれた表面１１ａの印字部１２の情報および表面１１ｂの印字１５の情報は、必要に応じてプリンタ３２によりプリント紙にプリントされる。
【００４５】
このように本実施の形態によれば、ＩＣカード１１の裏面１１ｂに保護シール１７あるいは追加備考紙が貼付されてＩＣカード１１自体の厚みが増加した場合、水平支持バー２８を上方へわずかに上昇させる。このことによりカード搬送部２６の搬送ローラ２６ａ、２６ｂ間の間隙を拡げて、ＩＣカード１１をスムースに搬送することができる。このとき、同時にスキャナ２５を上昇させることができ、このことによりＩＣカード１１に対するスキャナ２５ａの焦点深度を調整することにより、スキャナ２５ａによりＩＣカード１１の表面１１ａに設けられた印字部１２を精度良くスキャニングすることができる。
【００４６】
更に共通する水平支持バー２８によりＩＣカード１１により上方の搬送ローラ２６ａおよびスキャナ２５を同時に上昇させることができるので、搬送ローラ２６ａ、２６ｂ間の間隙を拡げる作業と、スキャナ２５ａを上昇させる作業を簡単な構造で容易かつ確実に行なうことができる。
【００４７】
次に図４により本発明の変形例について説明する図４に示す本実施例の変形例は、制御装置３１がシール検知器２４からの検知信号を考慮することなく、厚み検知部２３からの検知信号に基づいて、カード搬送部２６、スキャナ２５ａおよび追加スキャナ２５ａを駆動制御するものであり、他の構成は図１乃至図３に示す実施の形態と略同一である。
【００４８】
まず図４に示すようにＩＣカード１１がカード挿入部２１から挿入され、ＩＣカード１１の挿入状態がカード挿入センサ２１ａにより検知される。次にカード挿入センサ２１ａからの検知信号は制御装置３１に送られる。
【００４９】
次にＩＣカード１１の厚みが、一対の厚み検知器２３ａ、２３ｂからなる厚み検知部２３により検知され、厚み検知部２３からの検知信号が制御装置３１に送られる。
【００５０】
制御装置３１は、厚み検知部２３からの検知信号に基づいて、厚み検知部２３で検知したＩＣカード１１の厚みが搬送可能な厚みであるか否か判断しＩＣカード１１の厚みが所定値以上の場合、ＩＣカード１１の搬送は困難と判断し、カード搬送部２６を逆転させてカード挿入部２１からＩＣカード１１を戻す（排出する）。
【００５１】
一方、制御装置３１は、ＩＣカード１１の厚みが搬送可能な厚みの場合、以下のような制御を行なう。
【００５２】
すなわち、ＩＣカード１１の厚みはＪＩＳ規格により規定値に定められているため、ＩＣカード１１の厚みがこの規定値を越えている場合、制御装置３１はＩＣカード１１の厚み増加はＩＣカード１１の裏面１１ｂに保護シール１７あるいは追加の備考紙が貼付されていると判断する。
【００５３】
次に制御装置３１はカード搬送部２６の搬送ローラ２６ａ、２６ｂを駆動させてＩＣカード１１を搬送する。
【００５４】
次に制御装置３１はスキャナ２５ａを駆動制御して、このスキャナ２５ａによりＩＣカード１１の表面１１ａに印字された印字部１２をスキャニングして、印字部１２の情報を取り込む。この印字部１２の情報は、スキャナ２５ａから制御部３１へ送られる。同時に制御装置３１は追加スキャナ２５ｂを駆動制御して、この追加スキャナ２５ｂによりＩＣカード１１の裏面１１ｂに印字された印字部１５をスキャニングして、印字部１５の情報を取り込む。この印字部１２の情報は追加スキャナ２５ｂから制御部３１へ送られる。
【００５５】
その後ＩＣカード１１はカード排出部２２から外方へ排出される。また制御装置３１に取り込まれた表面１１ａの印字部１２の情報および表面１１ｂの印字１５の情報は、必要に応じてプリンタ３２によりプリント紙にプリントされる。
【００５６】
この場合、制御装置３１は一対の駆動部２９、２９により水平支持バー２８上方へわずかに上昇させる。このことにより上方に位置する３つの搬送ローラ２６ａおよびスキャナ２５ａがわずかに上昇し、カード搬送部２６の搬送ローラ２６ａ、２６ｂ間の間隙を拡げてＩＣカード１１をスムースに搬送させることができる。
【００５７】
このときＩＣカード１１の厚みが増加してもＩＣカード１１の裏面１１ｂの位置は変化しないので、ＩＣカード１１の裏面１１ｂに設けられた印字部１５を追加スキャナ２５ｂにより精度良くスキャニングすることができる。
【００５８】
またＩＣカード１１の表面１１ａの位置はＩＣカード１１の厚みの増加によりわずかに上昇するが、スキャナ２５ａを上昇させることにより、ＩＣカード１１に対するスキャナ２５ａの焦点深度を適切な値にＩＣカード１１の表面１１ａに設けられた印字部１２を精度良くスキャニングすることができる。
【符号の説明】
【００５９】
１１  ＩＣカード
１１Ａ  ＩＣチップ
１１ａ  表面
１１ｂ  裏面
１２  印字部
１３  顔画像
１６  印字部
１７  保護シール
２０  スキャナシステム
２１  カード挿入部
２２  カード排出部
２３  厚み検知部
厚み検知器
２４  シール検知部
２５ａ  スキャナ
２５ｂ  追加スキャナ
２６  カード搬送部
２６ａ、２６ｂ  搬送ローラ
２８  水平支持バー
２９  駆動部
３１  制御装置
３２  プリンタ
【図１】
0005741096.tif 000002
【図２】
0005741096.tif 000003
【図３】
0005741096.tif 000004
【図４】
0005741096.tif 000005